【手続補正書】
【提出日】平成24年6月14日(2012.6.14)
【手続補正１】
【補正対象書類名】明細書
【補正対象項目名】０００７
【補正方法】変更
【補正の内容】
【０００７】
上記目的を達成するために、請求項１に係る発明は、充電器本体（１０２）を収納する収納ケース（１０４）と、前記収納ケース（１０４）の外周に形成され、前記充電器本体（１０２）に接続される第１コード（１０８）を巻き掛けることができる巻き掛け用凹部（１１０）と、前記収納ケース（１０４）に設けられ、前記第１コード（１０８）の先端に接続されるプラグ（１１４）を収納するプラグ用凹部（１１６）と、を備えた充電器（１００）であって、前記充電器本体（１０２）に接続される第２コード（１１８）を収納する、上方向に開口した収納部（１２０）を前記収納ケース（１０４）に設け、前記第１コード（１０８）は、バッテリ（１８）の充電用コードであり、前記第２コード（１１８）は、前記第１コード（１０８）より細く長い電源用コードであり、前記収納部（１２０）は、前記充電器（１００）の上部に設けられる把手部（１０６）の長手方向に沿って前記充電器（１００）の側上部に開口し、前記巻き掛け用凹部（１１０）は、前記充電器（１００）の下半分であって前記充電器（１００）の少なくとも側面に亘って周回状に形成されることを特徴とする。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
請求項２に係る発明は、請求項１に記載の充電器（１００）であって、前記収納部（１２０）の上端に、該上端を保護する保護部（１４０）を設けることを特徴とする。
【手続補正５】
【補正対象書類名】明細書
【補正対象項目名】００１１
【補正方法】変更
【補正の内容】
【００１１】
請求項３に係る発明は、請求項１又は２に記載の充電器（１００）であって、前記収納部（１２０）の上部周辺に、前記第２コード（１１８）を保持する第１保持部（１２８、１４２）を設けることを特徴とする。
【手続補正６】
【補正対象書類名】明細書
【補正対象項目名】００１２
【補正方法】変更
【補正の内容】
【００１２】
請求項４に係る発明は、請求項３に記載の充電器（１００）であって、前記第１保持部（１２８、１４２）には、保護部材（１３２、１４４）が設けられていることを特徴とする。
【手続補正７】
【補正対象書類名】明細書
【補正対象項目名】００１３
【補正方法】変更
【補正の内容】
【００１３】
請求項５に係る発明は、請求項１又は２に記載の充電器（１００）であって、前記収納部（１２０）の上部周辺に、前記第２コード（１１８）のプラグ（１２４）を保持する第２保持部（１４６）を設けることを特徴とする。
【手続補正８】
【補正対象書類名】明細書
【補正対象項目名】００１４
【補正方法】変更
【補正の内容】
【００１４】
請求項６に係る発明は、請求項１又は２に記載の充電器（１００）であって、前記収納部（１２０）の上部に、前記収納部（１２０）の開口を覆う蓋部（１４８）を設けることを特徴とする。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
請求項７に係る発明は、請求項１〜６の何れか１項に記載の充電器（１００）であって、前記充電器（１００）は、鞍乗型電動車両（１０）に搭載される前記バッテリ（１８）を充電する充電器（１００）であって、前記第１コード（１０８）の前記プラグ（１１４）は、前記バッテリ（１８）と接続される充電コネクタ（２０）と接続され、前記第２コード（１１８）は、電源コンセントに接続されるとともに、前記充電器（１００）は、前記バッテリ（１８）に充電を行う場合は、前記鞍乗型電動車両（１０）の低床式フロア（１２）に載置されることを特徴とする。
【手続補正１１】
【補正対象書類名】明細書
【補正対象項目名】００５２
【補正方法】変更
【補正の内容】
【００５２】
上記実施の形態は、以下のように変形してもよい。
（変形例１）
上記実施の形態では、収納部１２０の上部に第２コード１１８を保持する第１保持部１２８を設けるようにしたが、第１保持部１２８を設けないようにしてもよい。この場合は、第２コード１１８と収納カバー１２２の上端との摩擦によって第２コード１１８及び収納カバー１２２に生じる傷や毀損を防止するために、図６に示すように、収納部１２０の上端、つまり、収納カバー１２２の上端に、該上端を保護する保護部１４０を設ける。この保護部１４０は、樹脂材料等からできた弾性部材である。なお、第１保持部１２８を設けながら、収納カバー１２２の上端に保護部１４０を設けるようにしてもよい。
【手続補正１２】
【補正対象書類名】特許請求の範囲
【補正対象項目名】全文
【補正方法】変更
【補正の内容】
【特許請求の範囲】
【請求項１】
充電器本体（１０２）を収納する収納ケース（１０４）と、
前記収納ケース（１０４）の外周に形成され、前記充電器本体（１０２）に接続される第１コード（１０８）を巻き掛けることができる巻き掛け用凹部（１１０）と、
前記収納ケース（１０４）に設けられ、前記第１コード（１０８）の先端に接続されるプラグ（１１４）を収納するプラグ用凹部（１１６）と、
を備えた充電器（１００）であって、
前記充電器本体（１０２）に接続される第２コード（１１８）を収納する、上方向に開口した収納部（１２０）を前記収納ケース（１０４）に設け、
前記第１コード（１０８）は、バッテリ（１８）の充電用コードであり、
前記第２コード（１１８）は、前記第１コード（１０８）より細く長い電源用コードであり、
前記収納部（１２０）は、前記充電器（１００）の上部に設けられる把手部（１０６）の長手方向に沿って前記充電器（１００）の側上部に開口し、前記巻き掛け用凹部（１１０）は、前記充電器（１００）の下半分であって前記充電器（１００）の少なくとも側面に亘って周回状に形成されることを特徴とする充電器（１００）。
【請求項２】
請求項１に記載の充電器（１００）であって、
前記収納部（１２０）の上端に、該上端を保護する保護部（１４０）を設けることを特徴とする充電器（１００）。
【請求項３】
請求項１又は２に記載の充電器（１００）であって、
前記収納部（１２０）の上部周辺に、前記第２コード（１１８）を保持する第１保持部（１２８、１４２）を設けることを特徴とする充電器（１００）。
【請求項４】
請求項３に記載の充電器（１００）であって、
前記第１保持部（１２８、１４２）には、保護部材（１３２、１４４）が設けられていることを特徴とする充電器（１００）。
【請求項５】
請求項１又は２に記載の充電器（１００）であって、
前記収納部（１２０）の上部周辺に、前記第２コード（１１８）のプラグ（１２４）を保持する第２保持部（１４６）を設けることを特徴とする充電器（１００）。
【請求項６】
請求項１又は２に記載の充電器（１００）であって、
前記収納部（１２０）の上部に、前記収納部（１２０）の開口を覆う蓋部（１４８）を設けることを特徴とする充電器（１００）。
【請求項７】
請求項１〜６の何れか１項に記載の充電器（１００）であって、
前記充電器（１００）は、鞍乗型電動車両（１０）に搭載される前記バッテリ（１８）を充電する充電器（１００）であって、前記第１コード（１０８）の前記プラグ（１１４）は、前記バッテリ（１８）と接続される充電コネクタ（２０）と接続され、前記第２コード（１１８）は、電源コンセントに接続されるとともに、前記充電器（１００）は、前記バッテリ（１８）に充電を行う場合は、前記鞍乗型電動車両（１０）の低床式フロア（１２）に載置されることを特徴とする充電器（１００）。